(57)【要約】  ディスク状の情報記録媒体であって、（Ｉ）レーザ光の較正用の第１試し書き情報を内周側から外周側に向かう第１トラックパス（ＴＰ１）に沿って試し書きするための第１試し書き領域（１０１Ｐ−１）及び（ＩＩ）第１記録情報を第１トラックパス（ＴＰ１）に沿って記録するための第１記録領域を、内周側からこの順番に有する第１記録層（Ｌ０層）を備える。更に、第１記録層よりも奥側に位置しており、（Ｉ）レーザ光の較正用の第２試し書き情報を外周側から内周側に向かう第２トラックパス（ＴＰ２）に沿って試し書きするための第２試し書き領域（１０１Ｐ−２）及び（ＩＩ）第２記録情報を第２トラックパス（ＴＰ２）に沿って記録するための第２記録領域を、内周側からこの順番に有する第２記録層（Ｌ１層）を備える。
2005034110.tif 000002
【特許請求の範囲】
【請求項１】
ディスク状の情報記録媒体であって、
（Ｉ）記録用のレーザ光を照射することによって該レーザ光の較正用の第１試し書き情報を当該情報記録媒体の内周側から外周側に向かう第１トラックパスに沿って試し書きするための第１試し書き領域及び（ＩＩ）前記レーザ光を照射することによって第１記録情報を前記第１トラックパスに沿って記録するための第１記録領域を、前記内周側からこの順番に有する第１記録層と、
前記レーザ光を照射する側から見て前記第１記録層よりも奥側に位置しており、（Ｉ）前記レーザ光を照射することによって前記レーザ光の較正用の第２試し書き情報を前記外周側から前記内周側に向かう第２トラックパスに沿って試し書きするための第２試し書き領域及び（ＩＩ）前記レーザ光を照射することによって第２記録情報を前記第２トラックパスに沿って記録するための第２記録領域を、前記内周側からこの順番に有する第２記録層と
を備えたことを特徴とする情報記録媒体。
【請求項２】
前記第１記録領域には、前記第１トラックパスに沿って、前記内周側から前記外周側に向かって順次付与されたアドレスを示す第１アドレス情報が予め記録されており、
前記第２記録領域には、前記第２トラックパスに沿って、前記外周側から前記内周側に向かって順次付与されたアドレスを示す第２アドレス情報が予め記録されていることを特徴とする請求の範囲第１項に記載の情報記録媒体。
【請求項３】
前記第１試し書き領域は、各回の前記第１試し書き情報を書き込む動作において所定サイズの領域部分が、前記外周側から前記内周側の順に使用され、
前記第２試し書き領域は、各回の前記第２試し書き情報を書き込む動作において所定サイズの領域部分が、前記内周側から前記外周側の順に使用されることを特徴とする請求の範囲第１項に記載の情報記録媒体。
【請求項４】
前記第１記録層は、前記第１試し書き領域の前記外周側であり且つ前記第１記録領域の前記内周側に、前記第１記録情報の記録動作及び再生動作のうち少なくとも一方を制御するための第１制御情報が記録される第１制御情報領域を更に有しており、
前記第２記録層は、前記第２試し書き領域の前記外周側であり且つ前記第２記録領域の前記内周側に、前記第２記録情報の記録動作及び再生動作のうち少なくとも一方を制御するための第２制御情報が記録される第２制御情報領域を更に有することを特徴とする請求の範囲第１項に記載の情報記録媒体。
【請求項５】
前記第１記録層は、前記第１試し書き領域の前記外周側に隣接して前記第１トラックパスにおけるアドレスを示す第１アドレス情報が記録されており、その他の情報が記録されない空き領域を更に有することを特徴とする請求の範囲第１項に記載の情報記録媒体。
【請求項６】
前記第１試し書き領域と前記第２試し書き領域とは、前記情報記録媒体の法線方向から見て前記情報記録媒体の半径方向に相互にずらされているか、又は、前記第１試し書き領域における少なくとも前記第１試し書き情報が書き込まれる領域部分と前記第２試し書き領域における少なくとも前記第２試し書き情報が書き込まれる領域部分とは、前記半径方向に相互にずらされていることを特徴とする請求の範囲第１項に記載の情報記録媒体。
【請求項７】
ディスク状の情報記録媒体であって、記録用のレーザ光を照射することによって当該情報記録媒体の内周側から外周側に向かう第１トラックパスに沿って第１情報を記録するための第１記録層と、前記レーザ光を照射する側から見て前記第１記録層よりも奥側に位置しており、前記レーザ光を照射することによって前記外周側から前記内周側に向かう第２トラックパスに沿って第２情報を記録するための第２記録層とを備えた情報記録媒体に、前記第１及び第２情報を記録するための情報記録装置であって、
前記レーザ光を前記第１記録層に集光するように照射することで前記第１記録層に対して前記第１情報を書き込み、前記レーザ光を前記第２記録層に集光するように照射することで前記第２記録層に対して前記第２情報を書き込むための書込手段と、
前記第１記録層に対して、前記第１情報の一部として前記レーザ光の較正用の第１試し書き情報を試し書きし、前記第２記録層に対して、前記第２情報の一部として前記レーザ光の較正用の第２試し書き情報を試し書きするように前記書込手段を制御する試し書き制御手段と、
前記試し書き制御手段による前記第１及び第２試し書き情報の試し書き後に、（Ｉ）前記第１記録層に対して、前記第１試し書き情報に基づき較正された前記レーザ光によって、前記第１試し書き情報が試し書きされた領域より前記外周側に、前記第１情報の他の一部として第１記録情報を前記第１トラックパスに沿って記録し、（ＩＩ）前記第２記録層に対して、前記第２試し書き情報に基づき較正された前記レーザ光によって、前記第２試し書き情報が試し書きされた領域より前記外周側に、前記第２情報の他の一部として第２記録情報を前記第２トラックパスに沿って記録するように前記書込手段を制御する記録制御手段と
を備えたことを特徴とする情報記録装置。
【請求項８】
前記第１記録領域には、前記第１トラックパスに沿って、前記内周側から前記外周側に向かって順次付与されたアドレスを示す第１アドレス情報が予め記録されており、
前記第２記録領域には、前記第２トラックパスに沿って、前記外周側から前記内周側に向かって順次付与されたアドレスを示す第２アドレス情報が予め記録されており、
前記第１及び第２アドレス情報を読み取るアドレス読取手段を更に備えており、
前記記録制御手段は、前記読み取られた第１アドレス情報に従って前記第１記録情報を前記第１トラックパスに沿って記録し、前記読み取られた第２アドレス情報に従って前記第２記録情報を前記第２トラックパスに沿って記録するように前記書込手段を制御することを特徴とする請求の範囲第７項に記載の情報記録媒装置。
【請求項９】
前記第１記録層は、前記第１試し書き領域の前記外周側に隣接して前記第１アドレス情報が記録されており且つその他の情報が記録されない空き領域を有し、
前記アドレス読取手段は、前記空き領域にアクセスすることで、前記第１アドレス情報を読み取ることを特徴とする請求の範囲第８項に記載の情報記録装置。
【請求項１０】
前記第１及び第２試し書き情報が既に試し書きされた領域を検出する領域検出手段を更に備えており、
前記試し書き制御手段は、前記領域検出手段により検出された領域に応じて各回の前記第１及び第２試し書き情報を書き込む際の開始位置を設定するように前記書込手段を制御することを特徴とする請求の範囲第７項に記載の情報記録装置。
【請求項１１】
前記試し書き制御手段は、各回の前記第１試し書き情報を書き込む動作において所定サイズの領域部分を、前記外周側から前記内周側の順に使用するように前記書込手段を制御し、各回の前記第２試し書き情報を書き込む動作において所定サイズの領域部分を、前記内周側から前記外周側の順に使用するように前記書込手段を制御することを特徴とする請求の範囲第７項に記載の情報記録装置。
【請求項１２】
前記記録制御手段は、（Ｉ）前記第１記録層における、前記第１試し書き情報が試し書きされる領域の前記外周側であり且つ前記第１記録情報が記録される領域の前記内周側に、前記第１記録情報の記録動作及び再生動作のうち少なくとも一方を制御するための第１制御情報を記録するように前記書込手段を制御し、（ＩＩ）前記第２記録層における、前記第２試し書き領域の前記外周側であり且つ前記第２記録領域の前記内周側に、前記第２記録情報の記録動作及び再生動作のうち少なくとも一方を制御するための第２制御情報を記録するように前記書込手段を制御することを特徴とする請求の範囲第７項に記載の情報記録装置。
【請求項１３】
前記試し書き制御手段は、前記第１試し書き領域と前記第２試し書き領域とが、前記情報記録媒体の法線方向から見て前記情報記録媒体の半径方向に相互にずらされた領域を使用するように前記書込手段を制御するか、又は、前記第１試し書き領域における少なくとも前記第１試し書き情報が書き込まれる領域部分と前記第２試し書き領域における少なくとも前記第２試し書き情報が書き込まれる領域部分とが、前記半径方向に相互にずらされた領域を使用するように前記書込手段を制御することを特徴とする請求の範囲第７項に記載の情報記録装置。
【請求項１４】
ディスク状の情報記録媒体であって、記録用のレーザ光を照射することによって当該情報記録媒体の内周側から外周側に向かう第１トラックパスに沿って第１情報を記録するための第１記録層と、前記レーザ光を照射する側から見て前記第１記録層よりも奥側に位置しており、前記レーザ光を照射することによって前記外周側から前記内周側に向かう第２トラックパスに沿って第２情報を記録するための第２記録層とを備えた情報記録媒体に、前記第１及び第２情報を記録すると共に、前記レーザ光を前記第１記録層に集光するように照射することで前記第１記録層に対して前記第１情報を書き込み、前記レーザ光を前記第２記録層に集光するように照射することで前記第２記録層に対して前記第２情報を書き込むための書込手段を備えた情報記録装置における情報記録方法であって、
前記第１記録層に対して、前記第１情報の一部として前記レーザ光の較正用の第１試し書き情報を試し書きし、前記第２記録層に対して、前記第２情報の一部として前記レーザ光の較正用の第２試し書き情報を試し書きするように前記書込手段を制御する試し書き制御工程と、
前記試し書き制御工程による前記第１及び第２試し書き情報の試し書き後に、（Ｉ）前記第１記録層に対して、前記第１試し書き情報に基づき較正された前記レーザ光によって、前記第１試し書き情報が試し書きされた領域より前記外周側に、前記第１情報の他の一部として第１記録情報を前記第１トラックパスに沿って記録し、（ＩＩ）前記第２記録層に対して、前記第２試し書き情報に基づき較正された前記レーザ光によって、前記第２試し書き情報が試し書きされた領域より前記外周側に、前記第２情報の他の一部として第２記録情報を前記第２トラックパスに沿って記録するように前記書込手段を制御する記録制御工程と
を備えたことを特徴とする情報記録方法。
【発明の詳細な説明】
【技術分野】
【０００１】
本発明は、例えばＤＶＤ等の情報記録媒体、並びに例えばＤＶＤレコーダ等の情報記録装置及び方法の技術分野に関する。
【背景技術】
【０００２】
例えば、ＣＤ、ＤＶＤ等の情報記録媒体では、特許文献１、２等に記載されているように、同一基板上に複数の記録層が積層されてなる多層型若しくはデュアルレイヤ又はマルチプルレイヤ型の光ディスク等も開発されている。そして、このような二層型の光ディスクを記録する、ＣＤレコーダ等の情報記録装置では、レーザ光の照射側から見て最も手前側に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
また、この種の光ディスク等では、光ディスクの種類、情報記録再生装置の種類及び記録速度等に応じて、ＯＰＣ（Optimum Power Calibration）処理により、記録パワーにおける最適パワーが設定される。即ち、記録パワーのキャリブレーション（較正）が行われる。これにより、光ディスクにおける情報記録面の特性のばらつき等に対応した適切な記録動作を実現できる。例えば、光ディスクが装填されて書き込みのコマンドが入力されると、順次段階的に光強度が切り換えられて試し書き用のデータがＯＰＣエリアに記録され、いわゆる試し書きの処理が実行される。特に、特許文献１によれば、二層の記録層の夫々にＯＰＣ領域が設けられており、これら二層に対して夫々ＯＰＣ処理を行う技術が開示されている。【０００４】
【特許文献１】特開２０００−３１１３４６号公報
【特許文献２】特開２００１−２３２３７号公報
【発明の開示】
【発明が解決しようとする課題】
【０００５】
しかしながら、このような二層型の情報記録媒体のうち、例えば二つの記録層の間でトラックパスの方向が同一である“パラレル方式”のものでは、例えば映画等の一連のコンテンツ情報を、二つの記録層に連続的に記録すると、その記録時には、Ｌ０層の記録終了後にディスクの最外周側まで至った光ピックアップを、Ｌ１層の記録開始前にディスクの最内周にまで戻してから、該Ｌ１層に係る記録を再開させねばならない。更に、このように映画等の一連のコンテンツ情報を記録してしまうと、その再生時には、Ｌ０層の再生終了後にディスクの最外周側まで至った光ピックアップを、Ｌ１層の再生開始前にディスクの最内周にまで戻してから、該Ｌ１層に係る再生を再開させねばならないので、途切れないように再生することは時間的に容易ではないという技術的問題点がある。例えば、再生バッファを巨大にすれば、このような再生対象となる記録層の切り替えの際に、途切れないで再生することは可能であるが、このためだけに、巨大なバッファを組み込むことはコスト面等からして実践上大変不利である。加えて、途切れることが許容されるような記録情報を記録したり再生したりする場合であっても、実際に記録層を切り替える際には、非常に時間がかかるという問題点もある。【０００６】
他方、このような二層型の情報記録媒体のうち、例えば二つの記録層の間でトラックパスの方向が逆向きである“オポジット方式”のものでは、Ｌ０層における、ＯＰＣ処理を行なうための専用エリアである“ＰＣＡ（Power Calibration Area）”は、Ｌ０層におけるトラックパスの開始地点付近となる、ディスクの最内周側の領域とされる。同様に、Ｌ１層におけるＰＣＡエリアは、そのトラックパスにおける開始地点付近となる、ディスクの最外周側の領域とされる。しかしながら、このように構成されている場合、ＯＰＣ処理を、Ｌ０層とＬ１層との両者に対してまとめて実行しようとすれば、Ｌ０層のＯＰＣ処理終了後にディスクの最内周付近にある光ピックアップを、Ｌ１層のＯＰＣ処理開始前にディスクの最外周付近にまで移動させてから、該Ｌ１層に係るＯＰＣ処理を再開させねばならない。従って、当該ＯＰＣ処理には、時間が非常にかかるという技術的問題点がある。逆に、ＯＰＣ処理を、Ｌ０層とＬ１層とに対して別々に実行しようとすれば、Ｌ０層に係るＯＰＣ処理の後にＬ０層を記録し、Ｌ０層に係る記録終了時にＬ１層に係るＯＰＣ処理を行い、その後に、Ｌ１層を記録することになろうが、これでは、記録動作中で記録層を切り替える際に非常に時間がかかるという技術的問題点が生じてしまう。【０００７】
本発明は、例えば上述した従来の問題点に鑑みなされたものであり、例えば各記録層について、効率的に試し書きを行なうことが可能であると共に効率的に記録情報を記録することが可能である多層型の情報記録媒体、並びにそのような情報記録媒体に情報を効率的に記録し得る情報記録装置及び方法を提供することを課題とする。
【課題を解決するための手段】
【０００８】
本発明の請求項１に記載の情報記録媒体は上記課題を解決するために、ディスク状の情報記録媒体であって、（Ｉ）記録用のレーザ光を照射することによって該レーザ光の較正用の第１試し書き情報を当該情報記録媒体の内周側から外周側に向かう第１トラックパスに沿って試し書きするための第１試し書き領域及び（ＩＩ）前記レーザ光を照射することによって第１記録情報を前記第１トラックパスに沿って記録するための第１記録領域を、前記内周側からこの順番に有する第１記録層と、前記レーザ光を照射する側から見て前記第１記録層よりも奥側に位置しており、（Ｉ）前記レーザ光を照射することによって前記レーザ光の較正用の第２試し書き情報を前記外周側から前記内周側に向かう第２トラックパスに沿って試し書きするための第２試し書き領域及び（ＩＩ）前記レーザ光を照射することによって第２記録情報を前記第２トラックパスに沿って記録するための第２記録領域を、前記内周側からこの順番に有する第２記録層とを備える。【０００９】
本発明の請求項７に記載の情報記録装置は上記課題を解決するために、ディスク状の情報記録媒体であって、記録用のレーザ光を照射することによって当該情報記録媒体の内周側から外周側に向かう第１トラックパスに沿って第１情報を記録するための第１記録層と、前記レーザ光を照射する側から見て前記第１記録層よりも奥側に位置しており、前記レーザ光を照射することによって前記外周側から前記内周側に向かう第２トラックパスに沿って第２情報を記録するための第２記録層とを備えた情報記録媒体に、前記第１及び第２情報を記録するための情報記録装置であって、前記レーザ光を前記第１記録層に集光するように照射することで前記第１記録層に対して前記第１情報を書き込み、前記レーザ光を前記第２記録層に集光するように照射することで前記第２記録層に対して前記第２情報を書き込むための書込手段と、前記第１記録層に対して、前記第１情報の一部として前記レーザ光の較正用の第１試し書き情報を試し書きし、前記第２記録層に対して、前記第２情報の一部として前記レーザ光の較正用の第２試し書き情報を試し書きするように前記書込手段を制御する試し書き制御手段と、前記試し書き制御手段による前記第１及び第２試し書き情報の試し書き後に、（Ｉ）前記第１記録層に対して、前記第１試し書き情報に基づき較正された前記レーザ光によって、前記第１試し書き情報が試し書きされた領域より前記外周側に、前記第１情報の他の一部として第１記録情報を前記第１トラックパスに沿って記録し、（ＩＩ）前記第２記録層に対して、前記第２試し書き情報に基づき較正された前記レーザ光によって、前記第２試し書き情報が試し書きされた領域より前記外周側に、前記第２情報の他の一部として第２記録情報を前記第２トラックパスに沿って記録するように前記書込手段を制御する記録制御手段とを備える。【００１０】
本発明の請求項１４に記載の情報記録方法は上記課題を解決するために、ディスク状の情報記録媒体であって、記録用のレーザ光を照射することによって当該情報記録媒体の内周側から外周側に向かう第１トラックパスに沿って第１情報を記録するための第１記録層と、前記レーザ光を照射する側から見て前記第１記録層よりも奥側に位置しており、前記レーザ光を照射することによって前記外周側から前記内周側に向かう第２トラックパスに沿って第２情報を記録するための第２記録層とを備えた情報記録媒体に、前記第１及び第２情報を記録すると共に、前記レーザ光を前記第１記録層に集光するように照射することで前記第１記録層に対して前記第１情報を書き込み、前記レーザ光を前記第２記録層に集光するように照射することで前記第２記録層に対して前記第２情報を書き込むための書込手段を備えた情報記録装置における情報記録方法であって、前記第１記録層に対して、前記第１情報の一部として前記レーザ光の較正用の第１試し書き情報を試し書きし、前記第２記録層に対して、前記第２情報の一部として前記レーザ光の較正用の第２試し書き情報を試し書きするように前記書込手段を制御する試し書き制御工程と、前記試し書き制御工程による前記第１及び第２試し書き情報の試し書き後に、（Ｉ）前記第１記録層に対して、前記第１試し書き情報に基づき較正された前記レーザ光によって、前記第１試し書き情報が試し書きされた領域より前記外周側に、前記第１情報の他の一部として第１記録情報を前記第１トラックパスに沿って記録し、（ＩＩ）前記第２記録層に対して、前記第２試し書き情報に基づき較正された前記レーザ光によって、前記第２試し書き情報が試し書きされた領域より前記外周側に、前記第２情報の他の一部として第２記録情報を前記第２トラックパスに沿って記録するように前記書込手段を制御する記録制御工程とを備える。【００１１】
本発明の作用及び利得は次に説明する実施の形態から明らかにされる。
【図面の簡単な説明】
【００１２】
【図１】本発明の情報記録媒体の第１実施例に係る光ディスクの基本構造を示し、上側部分は複数の記録領域を有する光ディスクの概略平面図であり、これに対応付けられる下側部分は、その径方向における記録領域構造の図式的概念図である。
【図２】本発明の情報記録媒体の第１実施例に係る光ディスクの記録面における部分拡大斜視図である。
【図３】本発明の情報記録媒体の第１実施例に係る光ディスクのデータ構造とＯＰＣ処理において使用される領域を概念的に示すデータ構造図である。
【図４】本発明の情報記録媒体の第２実施例に係る光ディスクのデータ構造とＯＰＣ処理において使用される領域を概念的に示すデータ構造図である。
【図５】本発明の情報記録媒体の第３実施例に係る光ディスクのデータ構造とＯＰＣ処理において使用される領域を概念的に示すデータ構造図である。
【図６】本発明の情報記録媒体の第４実施例に係る光ディスクのデータ構造とＯＰＣ処理において使用される領域を概念的に示すデータ構造図である。
【図７】本発明の情報記録装置に係る実施例における情報記録再生装置のブロック図である。
【図８】本発明の情報記録装置に係る実施例において光ディスクの記録動作及びＯＰＣ処理を示したフローチャート図である。
【符号の説明】
【００１３】
１          センターホール
１０        トラック
１１        ＥＣＣブロック
１００      光ディスク
１０１（１０１−１）          リードインエリア
１０２−１（１０２−２）      データゾーン
１０３（１０３−２）          リードアウトエリア
１０１Ｐ−１（１０１Ｐ−２）  パワーキャリブレーションエリア
１０１Ｍ−１（１０１Ｍ−２）  レコーディングマネージメントエリア
１０１Ｕ−１                  Ｌ０層におけるアンレコーダブルエリア
１０１Ｕ−２                  Ｌ１層におけるアンレコーダブルエリア
１０４−１（１０４−２）      ミドルエリア
１０６      透明基板
１０７      第１記録層
１０９      ウォブル
１０８      半透過反射膜
２０５      中間層
２０７      第２記録層
２０８      反射膜
３００      情報記録再生装置
３０６      データ入出力制御手段
３０７      操作制御手段
３１０      操作ボタン
３１１      表示パネル
３５１      スピンドルモータ
３５２      光ピックアップ
３５３      信号記録再生手段
３５４      ＣＰＵ（ドライブ制御手段）
３５５      メモリ
ＧＴ        グルーブトラック
ＬＴ        ランドトラック
ＬＢ        レーザ光
ＬＰ        ランドプリピット
ＰＣ１−１からＰＣ１−ｎ  Ｌ０層における１回目のＯＰＣ処理からｎ回目のＯＰＣ処理において試し書きされた領域
ＰＣ２−１からＰＣ２−ｎ  Ｌ１層における１回目のＯＰＣ処理からｎ回目のＯＰＣ処理において試し書きされた領域
ＭＤ１−１からＭＤ１−ｎ  Ｌ０層における１回目の制御情報の記録からｎ回目の制御情報の記録及び再生に使用された領域
ＭＤ２−１からＭＤ２−ｎ  Ｌ１層における１回目の制御情報の記録からｎ回目の制御情報の記録及び再生に使用された領域
【発明を実施するための最良の形態】
【００１４】
（情報記録媒体に係る実施形態）
本発明の情報記録媒体に係る実施形態は、ディスク状の情報記録媒体であって、（Ｉ）記録用のレーザ光を照射することによって該レーザ光の較正用の第１試し書き情報を当該情報記録媒体の内周側から外周側に向かう第１トラックパスに沿って試し書きするための第１試し書き領域及び（ＩＩ）前記レーザ光を照射することによって第１記録情報を前記第１トラックパスに沿って記録するための第１記録領域を、前記内周側からこの順番に有する第１記録層と、前記レーザ光を照射する側から見て前記第１記録層よりも奥側に位置しており、（Ｉ）前記レーザ光を照射することによって前記レーザ光の較正用の第２試し書き情報を前記外周側から前記内周側に向かう第２トラックパスに沿って試し書きするための第２試し書き領域及び（ＩＩ）前記レーザ光を照射することによって第２記録情報を前記第２トラックパスに沿って記録するための第２記録領域を、前記内周側からこの順番に有する第２記録層とを備える。【００１５】
本発明の情報記録媒体に係る実施形態によれば、例えば、ディスク状の基板の一方の面上に、第１及び第２記録層が積層されており、二層型或いは多層型の例えばＤＶＤ或いは光ディスク等の情報記録媒体が構築される。第１記録層には、例えばユーザデータエリアである第１記録領域内に、第１トラックパスに沿って、例えば音声、映像情報或いはコンテンツ情報などの第１記録情報が記録可能とされている。第２記録層には、例えばユーザデータエリアである第２記録領域内に、第２トラックパスに沿って、例えば音声、映像情報或いはコンテンツ情報などの第２記録情報が記録可能とされている。【００１６】
ここで特に、第１トラックパスは、ディスク状の基板の内周側から外周側へと向かい、これとは逆に、第２トラックパスは、外周側から内周側へと向かう。即ち、当該二層型或いは多層型の情報記録媒体では、トラックパスが二つの記録層の間で逆方向を向いている“オポジット方式”による連続記録が可能とされる。従って、第１記録層の終了端（即ち外周側の端部）に続いて第２記録層の開始端（即ち外周側の端部）へと、記録を連続的に行うようにすれば、記録情報に係る記録処理或いは再生処理の対象としての記録層を切り替える際に、基板面内におけるレーザ光の照射位置を半径方向に殆ど又は全く変えないで済むので、迅速な層間ジャンプ（即ち、層間切替動作）が可能となる。これは、例えば映画などの記録情報を、連続した第１及び第２記録情報として記録する際に、記録層の切り替えのために特別なバッファ機能を必要とすることなく、途切れのない再生を行なうことが容易となるという意味で、実践上大変便利である。【００１７】
因みに、トラックパスが二つの記録層の間で同一方向を向いている“パラレル方式”の場合には、第１記録層の終了端と第２記録層の開始端とが異なる側に位置することになるので、記録情報に係る記録処理或いは再生処理の対象としての記録層を切り替える際に、基板面内におけるレーザ光の照射位置を外周端から内周端まで変えないといけないので、迅速な層間ジャンプが困難或いは不可能となる。よって、パラレル方式の場合には、例えば映画などの記録情報を、連続した第１及び第２記録情報として記録する際に、途切れのない再生を行なうことが困難或いは不可能となる。このように本実施形態によれば、二つの記録層に対して連続した記録情報を記録する際に、迅速な層間ジャンプが可能となり、比較的容易にして途切れのない再生が可能となる。【００１８】
更に本実施形態では、第１記録層においては、第１記録領域の内周側に位置する、例えばＰＣＡ（Power Calibration Area）である第１試し書き領域に、例えば所定ＯＰＣパターン等の第１試し書き情報が記録される。他方で、第２記録層においては、第２記録領域の内周側に位置する、例えばＰＣＡである第２試し書き領域に、例えば所定ＯＰＣパターン等の第２試し書き情報が記録される。このように、第１及び第２試し書き領域は共に、ディスク状の基板の内周側に位置しているので、第１及び第２記録情報を記録する以前に或いは直前に、これら二つの試し書き領域において試し書きをまとめて行なうようにすれば、試し書き情報に係る記録処理或いは再生処理の対象としての記録層を切り替える際に、基板面内におけるレーザ光の照射位置を半径方向に殆ど又は全く変えないで済む。このため、試し書き時における迅速な層間ジャンプが可能となり、これら二つの試し書き情報を試し書きするために必要な総時間を大幅に短縮することが可能となる。【００１９】
因みに、オポジット方式の場合であっても、第１記録層における試し書き領域が一般的配置に習ってトラックパスの始点側である内周側に配置されており、且つ第２記録層における試し書き領域が一般的配置に習ってトラックパスの始点側である外周側に配置されているとすれば、二つの記録層に対して試し書き情報をまとめて試し書きすると、基板面内におけるレーザ光の照射位置を内周側から外周側に変えないとならないので、層間ジャンプに時間が掛かり、試し書きするために総時間が非常に長くなってしまうのである。このように本実施形態によれば、二つの記録層に対して試し書きする際に、適切にまとめて試し書きを行なうことができ、総合的に見て短時間の試し書きが可能となる。【００２０】
以上説明したように、本実施形態の情報記録媒体によれば、第１記録層と第２記録層とで、トラックパスが逆向きであり、しかも試し書き領域が同じ側（即ち、ディスクの内周側）に揃えられているので、比較的簡単にして記録情報の連続再生時における途切れない再生が可能となり、しかも、試し書きをまとめて迅速に実施できる。【００２１】
本発明の情報記録媒体に係る実施形態の一態様では、前記第１記録領域には、前記第１トラックパスに沿って、前記内周側から前記外周側に向かって順次付与されたアドレスを示す第１アドレス情報が予め記録されており、前記第２記録領域には、前記第２トラックパスに沿って、前記外周側から前記内周側に向かって順次付与されたアドレスを示す第２アドレス情報が予め記録されている。【００２２】
この態様によれば、第１記録領域については、例えば当該情報記録媒体の全体や第１記録層の全体を通して付与された絶対アドレス情報や、幾つかの基準位置を基準に付与された相対アドレス情報などの、第１アドレス情報が第１トラックパスに沿って記録されている。具体的には、例えば、プリピットアドレス情報が、ランドトラックにエンボス加工されたランドプリピット等により記録されており、内周側から外周側へ向かうに連れて、第１記録領域におけるアドレス値は増大する。他方、第２記録領域については、例えば当該情報記録媒体の全体や第２記録層の全体を通して付与された絶対アドレス情報や、幾つかの基準位置を基準に付与された相対アドレス情報などの、第２アドレス情報が第２トラックパスに沿って記録されている。具体的には、例えば、プリピットアドレス情報が、ランドトラックにエンボス加工されたランドプリピット等により記録されており、外周側から内周側へ向かうに連れて、第２記録領域におけるアドレス値は増大する。従って、アドレス情報に従って、第１及び第２記録層の夫々における上述の如き、トラックパスに沿っての記録又は再生や、試し書きを確実に行なえる。【００２３】
本発明の情報記録媒体に係る実施形態の他の態様では、前記第１試し書き領域は、各回の前記第１試し書き情報を書き込む動作において所定サイズの領域部分が、前記外周側から前記内周側の順に使用され、前記第２試し書き領域は、各回の前記第２試し書き情報を書き込む動作において所定サイズの領域部分が、前記内周側から前記外周側の順に使用される。【００２４】
この態様によれば、第１試し書き領域は、例えば各記録開始前に行われる一連のＯＰＣ動作など、各回の第１試し書き情報を書き込む動作において所定サイズの領域部分が、外周側から内周側の順に使用される。このため、ｎ（但し、ｎは２以上の自然数）回目の試し書き情報の書き込み動作の際に、第１トラックパスに沿って、ｎ−１回目に書き込まれた領域部分の開始端を探すことが容易となり、これにより、所定サイズだけ後退する形で、ｎ回目の書き込み動作を行なう領域を容易に特定できる。特に、第１トラックパスに沿ってアドレス情報が記録されていれば、ｎ−１回目に書き込まれた領域部分の開始端をアドレスで容易に特定でき、更にｎ回目の書き込み動作を行なう領域をアドレスで容易に特定できる。他方で、第２試し書き領域についても同様に、ｎ回目の試し書き情報の書き込み動作の際に、第２トラックパスに沿って、ｎ−１回目に書き込まれた領域部分の開始端を探すことが容易となり、これにより、ｎ回目の書き込み動作を行なう領域を容易に特定できる。【００２５】
本発明の情報記録媒体に係る実施形態の他の態様では、前記第１記録層は、前記第１試し書き領域の前記外周側であり且つ前記第１記録領域の前記内周側に、前記第１及び第２記録情報の記録動作及び再生動作のうち少なくとも一部を制御するための第１制御情報が記録される第１制御情報領域を更に有しており、前記第２記録層は、前記第２試し書き領域の前記外周側であり且つ前記第２記録領域の前記内周側に、前記第１及び第２記録情報の記録動作及び再生動作のうち少なくとも一部を制御するための第２制御情報が記録される第２制御情報領域を更に有する。【００２６】
この態様によれば、第１記録層には、第１試し書き領域と第１記録領域との間に位置する、例えばＲＭＡ（Recording  Management Area）である第１制御情報領域内に、各種の第１制御情報が第１トラックパスに沿って記録される。第２記録層は、第２試し書き領域と第２記録領域との間に位置する、例えばＲＭＡである第２制御情報領域内に、各種の第２制御情報が第１トラックパスに沿って記録される。従って、当該情報記録媒体の記録時や再生時には、第１又は第２記録情報の記録や再生に相前後して、第１及び第２制御情報の記録又は再生が行なわれ、特にこれらの第１及び第２制御情報に基づいて、複雑高度な再生動作や記録動作を行なうことが可能となる。この際、第１制御情報領域は、第１試し書き領域と第１記録領域との間に位置し、第２制御情報領域は、第２試し書き領域と第２記録領域との間に位置するので、上述した本実施形態に係る、簡単にして記録情報の連続再生時における途切れない再生が可能となり、しかも、試し書きをまとめて迅速に実施できるという効果が阻害されることは殆どない。【００２７】
本発明の情報記録媒体に係る実施形態の他の態様では、前記第１記録層は、前記第１試し書き領域の前記外周側に隣接して前記第１トラックパスにおけるアドレスを示す第１アドレス情報が記録されており、その他の情報が記録されない空き領域を更に有する。【００２８】
この態様によれば、第１記録層については、その空き領域内に、第１アドレス情報が第１トラックパスに沿って記録されている。具体的には、例えば、プリピットアドレス情報が、ランドトラックにエンボス加工されたランドプリピット等により記録されている。従って、第１トラックパスに沿って第１試し書き領域を介して第１記録領域にアクセスする際に、仮に試し書きによって第１試し書き領域内におけるアドレス情報が破壊されていても、第１記録領域に至る以前に空き領域においてアドレス情報を確認でき、即ち、光ピックアップ等における現在の読取位置を特定できる。従って、第１トラックパスに沿ったアクセス動作で、第１記録領域の開始部に問題なくアクセス可能となる。尚、第１制御情報領域が存在する場合にも同様に、第１トラックパスに沿って第１試し書き領域を介して第１制御情報領域にアクセスする際に、第１制御情報領域の開始部に問題なくアクセス可能となる。【００２９】
本発明の情報記録媒体に係る実施形態の他の態様では、前記第１試し書き領域と前記第２試し書き領域とは、前記情報記録媒体の法線方向から見て前記情報記録媒体の半径方向に相互にずらされているか、又は、前記第１試し書き領域における少なくとも前記第１試し書き情報が書き込まれる領域部分と前記第２試し書き領域における少なくとも前記第２試し書き情報が書き込まれる領域部分とは、前記半径方向に相互にずらされている。【００３０】
この態様によれば、第１試し書き領域と第２試し書き領域とは、半径方向に相互にずらされているので、第２試し書き領域に試し書きする際のレーザ光は、例えば第１記録層における空き領域を通過するなどにより、第１試し書き領域を通過しない。このため、第１試し書き領域における記録状態、即ち、試し書き情報によって記録済みか又は未記録かによる影響を受けて、第２試し書き領域における試し書きが不正確になる事態を未然防止できる。仮に、このように半径方向にずらさないとすれば、第１試し書き領域では、その記録又は未記録の違いによって透過率等の光学特性が変化するので、これを介して行なわれる第２試し書き領域における試し書きは、多かれ少なかれ不正確となってしまうのである。【００３１】
或いは、第１試し書き領域における少なくとも第１試し書き情報が書き込まれる領域部分と第２試し書き領域における少なくとも第２試し書き情報が書き込まれる領域部分とは、半径方向に相互にずらされているので、第２試し書き領域に試し書きする際のレーザ光は、例えば第１記録層における空き領域を通過するなどにより、第１試し書き情報が記録された領域部分を通過しない。従って、第１試し書き領域と第２試し書き領域とが重なっていても、第１試し書き領域における記録状態による影響を受けて、第２試し書き領域における試し書きが不正確になる事態を未然防止できる。尚、この場合には、第１試し書き領域内では、試し書き情報が実際に書き込まれる領域部分の間に空き領域が存在するように試し書きし、同様に、第２試し書き領域内では、試し書き情報が実際に書き込まれる領域部分の間に空き領域が存在するように試し書きし、更に、基板面内で、このような空き領域が、第１及び第２試し書き領域間で相補の位置関係になるように、試し書きを行なえばよい。【００３２】
（情報記録装置に係る実施形態）
本発明の情報記録装置に係る実施形態は、ディスク状の情報記録媒体であって、記録用のレーザ光を照射することによって当該情報記録媒体の内周側から外周側に向かう第１トラックパスに沿って第１情報を記録するための第１記録層と、前記レーザ光を照射する側から見て前記第１記録層よりも奥側に位置しており、前記レーザ光を照射することによって前記外周側から前記内周側に向かう第２トラックパスに沿って第２情報を記録するための第２記録層とを備えた情報記録媒体に、前記第１及び第２情報を記録するための情報記録装置であって、前記レーザ光を前記第１記録層に集光するように照射することで前記第１記録層に対して前記第１情報を書き込み、前記レーザ光を前記第２記録層に集光するように照射することで前記第２記録層に対して前記第２情報を書き込むための書込手段と、前記第１記録層に対して、前記第１情報の一部として前記レーザ光の較正用の第１試し書き情報を試し書きし、前記第２記録層に対して、前記第２情報の一部として前記レーザ光の較正用の第２試し書き情報を試し書きするように前記書込手段を制御する試し書き制御手段と、前記試し書き制御手段による前記第１及び第２試し書き情報の試し書き後に、（Ｉ）前記第１記録層に対して、前記第１試し書き情報に基づき較正された前記レーザ光によって、前記第１試し書き情報が試し書きされた領域より前記外周側に、前記第１情報の他の一部として第１記録情報を前記第１トラックパスに沿って記録し、（ＩＩ）前記第２記録層に対して、前記第２試し書き情報に基づき較正された前記レーザ光によって、前記第２試し書き情報が試し書きされた領域より前記外周側に、前記第２情報の他の一部として第２記録情報を前記第２トラックパスに沿って記録するように前記書込手段を制御する記録制御手段とを備える。【００３３】
本発明の情報記録装置に係る実施形態によれば、例えばＣＰＵ（Central Processing Unit）等を含んでなる試し書き制御手段による制御下で、上述した本発明に係る情報記録媒体に係る実施形態に対して、二つの記録層に対してまとめて試し書き処理を、例えば光ピックアップ等を含んでなる書込手段によって、効率的に行なうことができる。即ち、第１及び第２試し書き領域は共に、ディスク状の基板の内周側に位置することになるので、第１及び第２記録情報を記録する以前に或いは直前に、これら二つの記録層に対してまとめて試し書きを行なうことができる。これにより、試し書き情報に係る記録処理の対象としての記録層を切り替える際に、基板面内におけるレーザ光の照射位置を半径方向に殆ど又は全く変えないで済むので、試し書き時における迅速な層間ジャンプが可能となる。この結果、これら二つの記録層に関して試し書きするために必要な総時間を大幅に短縮できる。【００３４】
更に、例えばＣＰＵ等を含んでなる記録制御手段による制御下で、オポジット方式の記録処理を、例えば光ピックアップ等を含んでなる書込手段によって、効率的に行なうことができる。即ち、第１記録層の終了端（即ち外周側の端部）に続いて第２記録層の開始端（即ち外周側の端部）へと、記録を連続的に行うことができ、この際特に、記録情報に係る記録処理の対象としての記録層を切り替える際に、基板面内におけるレーザ光の照射位置を半径方向に殆ど又は全く変えないで済むので、迅速な層間ジャンプ（即ち、層間切替動作）が可能となる。よって、例えば映画などの記録情報を、連続した第１及び第２記録情報として記録する際に、記録層の切り替えのために特別なバッファ機能を必要とすることなく、途切れのない再生を行なうことが容易となる。【００３５】
以上説明したように、本実施形態の情報記録装置によれば、比較的簡単にして記録情報の連続再生時における途切れない再生が可能となり、しかも、試し書きをまとめて迅速に実施できる。【００３６】
本発明の情報記録装置に係る実施形態の一態様では、前記第１記録領域には、前記第１トラックパスに沿って、前記内周側から前記外周側に向かって順次付与されたアドレスを示す第１アドレス情報が予め記録されており、前記第２記録領域には、前記第２トラックパスに沿って、前記外周側から前記内周側に向かって順次付与されたアドレスを示す第２アドレス情報が予め記録されており、前記第１及び第２アドレス情報を読み取るアドレス読取手段を更に備えており、前記記録制御手段は、前記読み取られた第１アドレス情報に従って前記第１記録情報を前記第１トラックパスに沿って記録し、前記読み取られた第２アドレス情報に従って前記第２記録情報を前記第２トラックパスに沿って記録するように前記書込手段を制御する。【００３７】
この態様によれば、例えば光ピックアップ等を含んでなるアドレス読取手段によって第１アドレス情報を読み取ることによって、記録制御手段による制御下で、第１記録層における記録や試し書きを、第１トラックパスに沿って確実に行なえる。更に、アドレス読取手段によって第２アドレス情報を読み取ることによって、記録制御手段による制御下で、第２記録層における記録や試し書きを、第２トラックパスに沿って確実に行なえる。【００３８】
この態様では、前記第１記録層は、前記第１試し書き領域の前記外周側に隣接して前記第１アドレス情報が記録されており且つその他の情報が記録されない空き領域を有し、前記アドレス読取手段は、前記空き領域にアクセスすることで、前記第１アドレス情報を読み取るように構成してもよい。【００３９】
このように構成すれば、第１トラックパスに沿って第１試し書き領域を介して第１記録領域にアクセスする際に、仮に試し書きによって第１試し書き領域内におけるアドレス情報が破壊されていても、第１記録領域に至る以前に空き領域において第１アドレス情報を、アドレス読取手段によって読み取れる。即ち、光ピックアップ等における現在の読取位置を特定できる。従って、第１トラックパスに沿ったアクセス動作で、第１記録領域の開始部に問題なくアクセス可能となる。【００４０】
尚、第２記録層については、第２試し書き領域が第２記録領域よりも第２トラックパスの下流に位置しているので、仮に試し書き情報の試し書きによって第２トラックパスにおけるアドレス情報等が読み取り不能となったとしても、第２記録層における外周側から第２トラックパスに沿って第２記録領域内の各アドレス位置にアクセスすれば、第２記録領域へのアクセスに不都合は生じない。即ち、第２記録層については、空き領域は不要である。また、第２記録層については、第２制御情報領域が存在する場合にも、同様に空き領域は不要である。【００４１】
本発明の情報記録装置に係る実施形態の他の態様では、前記第１及び第２試し書き情報が既に試し書きされた領域を検出する領域検出手段を更に備えており、前記試し書き制御手段は、前記領域検出手段により検出された領域に応じて各回の前記第１及び第２試し書き情報を書き込む際の開始位置を設定するように前記書込手段を制御する。【００４２】
この態様によれば、例えば光ピックアップ等を含んでなる領域検出手段によって、第１及び第２試し書き情報が既に試し書きされた領域が検出される。その後、試し書き制御手段による制御下で、このように検出された領域に応じて、各回の前記第１及び第２試し書き情報を書き込む際の開始位置が設定される。従って、試し書きを実行することで、第１又は第２試し書き領域におけるアドレス情報が仮に破壊されていたとしても、各回の試し書きを、適切な開始位置から実行することが可能となる。【００４３】
本発明の情報記録装置に係る実施形態の他の態様では、前記試し書き制御手段は、各回の前記第１試し書き情報を書き込む動作において所定サイズの領域部分を、前記外周側から前記内周側の順に使用するように前記書込手段を制御し、各回の前記第２試し書き情報を書き込む動作において所定サイズの領域部分を、前記内周側から前記外周側の順に使用するように前記書込手段を制御する。【００４４】
この態様によれば、ｎ（但し、ｎは２以上の自然数）回目の試し書き情報の書き込み動作の際に、第１トラックパスに沿って、ｎ−１回目に書き込まれた領域部分の開始端を探すことが容易となり、これにより、所定サイズだけ後退する形で、ｎ回目の書き込み動作を行なう領域を容易に特定できる。【００４５】
本発明の情報記録装置に係る実施形態の他の態様では、前記記録制御手段は、（Ｉ）前記第１記録層における、前記第１試し書き情報が試し書きされる領域の前記外周側であり且つ前記第１記録情報が記録される領域の前記内周側に、前記第１記録情報の記録動作及び再生動作のうち少なくとも一方を制御するための第１制御情報を記録するように前記書込手段を制御し、（ＩＩ）前記第２記録層における、前記第２試し書き領域の前記外周側であり且つ前記第２記録領域の前記内周側に、前記第２記録情報の記録動作及び再生動作のうち少なくとも一方を制御するための第２制御情報を記録するように前記書込手段を制御する。【００４６】
この態様によれば、第１又は第２記録情報の記録に相前後して、第１及び第２制御情報の記録や再生が行なわれ、特にこれらの第１及び第２制御情報に基づいて、複雑高度な再生動作や記録動作を行なうことが可能となる。【００４７】
本発明の情報記録装置に係る実施形態の他の態様では、前記試し書き制御手段は、前記第１試し書き領域と前記第２試し書き領域とが、前記情報記録媒体の法線方向から見て前記情報記録媒体の半径方向に相互にずらされた領域を使用するように前記書込手段を制御するか、又は、前記第１試し書き領域における少なくとも前記第１試し書き情報が書き込まれる領域部分と前記第２試し書き領域における少なくとも前記第２試し書き情報が書き込まれる領域部分とが、前記半径方向に相互にずらされた領域を使用するように前記書込手段を制御する。【００４８】
この態様によれば、第２試し書き領域に試し書きする際のレーザ光は、例えば第１記録層における空き領域を通過するなどにより、第１試し書き領域又は第１試し書き情報が記録された領域部分を通過しない。このため、第１試し書き領域における記録状態、即ち、試し書き情報によって記録済みか又は未記録かによる影響を受けて、第２試し書き領域における試し書きが不正確になる事態を未然防止できる。この結果、正確な試し書き結果に応じて較正されたレーザ光を用いて好適に第１記録情報や第２記録情報を記録することが可能となる。【００４９】
（情報記録方法に係る実施形態）
本発明の情報記録方法に係る実施形態は、ディスク状の情報記録媒体であって、記録用のレーザ光を照射することによって当該情報記録媒体の内周側から外周側に向かう第１トラックパスに沿って第１情報を記録するための第１記録層と、前記レーザ光を照射する側から見て前記第１記録層よりも奥側に位置しており、前記レーザ光を照射することによって前記外周側から前記内周側に向かう第２トラックパスに沿って第２情報を記録するための第２記録層とを備えた情報記録媒体に、前記第１及び第２情報を記録すると共に、前記レーザ光を前記第１記録層に集光するように照射することで前記第１記録層に対して前記第１情報を書き込み、前記レーザ光を前記第２記録層に集光するように照射することで前記第２記録層に対して前記第２情報を書き込むための書込手段を備えた情報記録装置における情報記録方法であって、前記第１記録層に対して、前記第１情報の一部として前記レーザ光の較正用の第１試し書き情報を試し書きし、前記第２記録層に対して、前記第２情報の一部として前記レーザ光の較正用の第２試し書き情報を試し書きするように前記書込手段を制御する試し書き制御工程と、前記試し書き制御工程による前記第１及び第２試し書き情報の試し書き後に、（Ｉ）前記第１記録層に対して、前記第１試し書き情報に基づき較正された前記レーザ光によって、前記第１試し書き情報が試し書きされた領域より前記外周側に、前記第１情報の他の一部として第１記録情報を前記第１トラックパスに沿って記録し、（ＩＩ）前記第２記録層に対して、前記第２試し書き情報に基づき較正された前記レーザ光によって、前記第２試し書き情報が試し書きされた領域より前記外周側に、前記第２情報の他の一部として第２記録情報を前記第２トラックパスに沿って記録するように前記書込手段を制御する記録制御工程とを備える。【００５０】
本発明の情報記録方法に係る実施形態によれば、上述した本発明の情報記録装置に係る実施形態の場合と同様に、比較的簡単にして記録情報の連続再生時における途切れない再生が可能となり、しかも、試し書きをまとめて迅速に実施できる。【００５１】
尚、本発明の情報記録方法に係る実施形態においても、上述した本発明の情報記録方法に係る実施形態についての各種態様と同様の態様を適宜採ることが可能である。【００５２】
本実施形態のこのような作用及び他の利得は次に説明する実施例から更に明らかにされる。【００５３】
以上説明したように、本発明の情報記録媒体に係る実施形態によれば、第１記録層と第２記録層とで、トラックパスが逆向きであり、しかも試し書き領域が同じ側に揃えられているので、各記録層について、効率的に試し書きを行なうことが可能であると共に効率的に記録情報を記録することが可能である。また、本発明の情報記録装置に係る実施形態によれば、試し書き制御手段及び記録制御手段を備えており、本発明の情報記録方法に係る実施形態によれば、試し書き制御工程及び記録制御工程を備えているので、多層側の情報記録媒体に対して、効率的に試し書きを行なうことができ、効率的に記録情報を記録できる。
【実施例】
【００５４】
（情報記録媒体の第１実施例）
次に図１から図３を参照して、本発明の情報記録媒体の第１実施例に係る光ディスクについて詳細に説明する。【００５５】
先ず図１を参照して、第１実施例に係る光ディスクの基本構造について説明する。ここに図１は、本発明の情報記録媒体の第１実施例に係る光ディスクの基本構造を示し、上側部分は複数の記録領域を有する光ディスクの概略平面図であり、これに対応付けられる下側部分は、その径方向における記録領域構造の図式的概念図である。【００５６】
図１に示すように、光ディスク１００は、例えば、ＤＶＤと同じく直径１２ｃｍ程度のディスク本体上の記録面に、センターホール１を中心として内周側から外周側に向けて、本実施例に係るリードインエリア１０１、データゾーン１０２及びリードアウトエリア１０３が設けられている。そして、各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。【００５７】
尚、本発明は、このような三つのエリアを有する光ディスクには特に限定されない。例えば、リードインエリア１０１やリードアウトエリア１０３が存在せずとも、以下に説明するデータ構造等の構築は可能である。また、後述するように、リードインエリア１０１やリードアウト１０３は更に細分化された構成であってもよい。【００５８】
次に図２を参照して、本実施例に係る光ディスクの物理的構成について説明する。より具体的には、本実施例に係る光ディスク１００では、複数のデータゾーン１０２等が例えば積層構造に形成される２層型の光ディスクとして構成されている。ここに、図２は、第１実施例の光ディスクの記録面における部分拡大斜視図である。【００５９】
図２において、本実施例では、光ディスク１００は、ディスク状の透明基板１０６上に（図２では下側に）、情報記録面を構成する相変化型又は加熱などによる非可逆変化記録型の第１記録層１０７が積層され、更にその上に（図２では下側）に、半透過反射膜１０８が積層されている。第１記録層１０７の表面からなる情報記録面には、グルーブトラックＧＴ及びランドトラックＬＴが交互に形成されている。尚、光ディスク１００の記録時及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、第１記録層１０７への相変化による書き込み又は加熱などによる非可逆変化記録が実施される。他方、再生時には、記録レーザパワーよりも弱い再生レーザパワーでレーザ光ＬＢが照射されることで、第1記録層１０７へ書き込みされた記録データの読出しが実施される。【００６０】
本実施例では、グルーブトラックＧＴは、一定の振幅及び空間周波数で揺動されている。即ち、グルーブトラックＧＴは、ウォブリングされており、そのウォブル１０９の周期は所定値に設定されている。ランドトラックＬＴ上にはプリフォーマットアドレス情報を示すランドプリピットＬＰと呼ばれるアドレスピットが形成されている。この２つのアドレッシング（即ち、ウォブル１０９及びランドプリピットＬＰ）により記録中のディスク回転制御や記録クロックの生成、また記録アドレス等のデータ記録に必要な情報を得ることができる。尚、グルーブトラックＧＴのウォブル１０９を周波数変調や位相変調など所定の変調方式により変調することによりプリフォーマットアドレス情報を予め記録するようにしてもよい。【００６１】
本実施例では特に、半透過反射膜１０８上（図２では下側）に、第２記録層２０７が形成され、更にその上（図２では下側）に、反射膜２０８が形成されている。第２記録層２０７は、透明基板１０６、第１記録層１０７及び半透過反射膜１０８を介してレーザ光ＬＢが照射されることで、第１記録層１０７と概ね同様に、相変化型又は加熱などによる非可逆変化記録型の記録及び再生が可能なように構成されている。このような第２記録層２０７及び反射膜２０８については、第１記録層１０７及び半透過反射膜１０８等が形成された透明基板１０６上に成膜形成してもよいし、別基板上に成膜形成した後に、これを透明基板１０６に貼り合わせるようにしてもよい。尚、半透過反射膜１０８と第２記録層２０７との間には、製造方法に応じて適宜、透明接着剤等からなる透明な中間層２０５が設けられる。【００６２】
このような二層型の光ディスク１００の記録再生時には、レーザ光LＢの集光位置をいずれの記録層に合わせるかに応じて、第１記録層１０７における記録再生が行なわれるか又は第２記録層２０７における記録再生が行われる。【００６３】
尚、本実施例に係る光ディスク１００は、図２に示した如き、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００６４】
次に図３を参照して、本発明の情報記録媒体の第１実施例に係る光ディスクについてのデータ構造とＯＰＣ処理において使用される領域についてより詳細に説明する。ここに、図３は、本発明の情報記録媒体の第１実施例に係る光ディスクのデータ構造とＯＰＣ処理において使用される領域を概念的に示すデータ構造図である。【００６５】
図３に示すように、光ディスク１００は、２層の記録層、即ち、Ｌ０層（即ち、図１及び図２における第１記録層１０７に相当する記録層）とＬ１層（即ち、図１及び図２における第２記録層２０７に相当する記録層）とを有している。【００６６】
Ｌ０層には、内周側から外周側にかけて、リードインエリア１０１−１、データゾーン１０２−１及びミドルエリア１０４−１が設けられている。そして、リードインエリア１０１−１には、更に、本発明に係る「第１試し書き領域」の一例を構成するパワーキャリブレーションエリア１０１Ｐ−１及び本発明に係る「第１制御情報領域」の一例を構成するレコーディングマネージメントエリア１０１Ｍ−１が設けられている。【００６７】
他方、Ｌ１層にも、外周側から内周側にかけて、ミドルエリア１０４−２、データゾーン１０２−２及びリードアウトエリア１０３−２が設けられている。そして、リードアウトエリア１０３−２には、更に、本発明に係る「第２試し書き領域」の一例を構成するパワーキャリブレーションエリア１０１Ｐ−２及び本発明に係る「第２制御情報領域」の一例を構成するレコーディングマネージメントエリア１０１Ｍ−２が設けられている。【００６８】
詳細には、パワーキャリブレーションエリア１０１Ｐ−１（１０１Ｐ−２）は、最適な記録レーザパワーの検出（即ち、記録レーザパワーのキャリブレーション）処理、所謂ＯＰＣ処理に用いられる領域である。特に、パワーキャリブレーションエリア１０１Ｐ−１は、Ｌ０層の最適な記録レーザパワーの検出のために用いられ、またパワーキャリブレーションエリア１０１Ｐ−２は、Ｌ１層の最適な記録レーザパワーの検出のために用いられる。より詳細には、ＯＰＣパターンの試し書きの完了後には、試し書きされたＯＰＣパターンが再生され、再生されたＯＰＣパターンのサンプリングが順次行われて、最適な記録レーザパワーが検出される。また、ＯＰＣにより求めた最適な記録レーザパワーの値が例えば、情報記録装置側に設けられた後述されるメモリ等の記憶装置内に格納されてもよいし、情報記録媒体における管理情報記録領域等に記録されていてもよい。【００６９】
そして、Ｌ０層及びＬ１層に対して、後述される情報記録再生装置の光ピックアップによって、ＯＰＣ処理のためのレーザ光は、図示しない基板の側から、即ち、図３中の下側から上側に向けて照射され、その焦点距離等が制御されると共に、光ディスク１００の半径方向における移動距離及び方向が制御される。【００７０】
特に、第１実施例に係る二層型の光ディスク１００では、データの記録又は再生処理において、トラックパスが二つの記録層の間で逆方向を向いている“オポジット方式”による連続記録が可能とされる。より具体的には、オポジット方式の下で、後述される情報記録再生装置の光ピックアップは、Ｌ０層において、図３中で示された太線右矢印で示された第１トラックパスＴＰ１の方向、即ち、ディスク状の基板の内周側から外周側へ向かって移動する。次に、層間ジャンプ、即ち、Ｌ０層からＬ１層への焦点合わせが行われる。次に、光ピックアップは、Ｌ１層において、図３中で示された太線左矢印で示された第２トラックパスＴＰ２方向、即ち、外周側から内周側へ向かって移動する。【００７１】
また、特に、第１実施例では、ＯＰＣ処理が、Ｌ０層とＬ１層との記録動作に際して相前後してまとめて行われる。【００７２】
具体的には、Ｌ０層のパワーキャリブレーションエリア１０１Ｐ−１における各回のＯＰＣ処理は、第１トラックパスＴＰ１と逆方向の順番で行われる。【００７３】
より具体的には、パワーキャリブレーションエリア１０１Ｐ−１の領域の最外周側から１回目のＯＰＣ処理が領域ＰＣ１−１を使用して行われ、順次、２回目のＯＰＣ処理が領域ＰＣ１−２、３回目のＯＰＣ処理が領域ＰＣ１−３を使用して行われる。このように、Ｌ０層においては、ＯＰＣ処理によって、パワーキャリブレーションエリア１０１Ｐ−１の領域は、内周側に向かって消費、即ち、破壊されていく。尚、Ｌ０層における各１回のＯＰＣ処理においては、ＯＰＣパターンの試し書き及び試し書きされたＯＰＣパターンの再生は、第１トラックパスＴＰ１の方向に沿って行われる。【００７４】
他方、Ｌ１層のパワーキャリブレーションエリア１０１Ｐ−２における各回のＯＰＣ処理も、第２トラックパスＴＰ２と逆方向の順番で行われる。【００７５】
より具体的には、パワーキャリブレーションエリア１０１Ｐ−２の領域の最内周側から１回目のＯＰＣ処理が領域ＰＣ２−１を使用して行われ、順次、２回目のＯＰＣ処理が領域ＰＣ２−２、３回目のＯＰＣ処理が領域ＰＣ２−３を使用して行われる。このように、Ｌ１層においては、ＯＰＣ処理によって、パワーキャリブレーションエリア１０１Ｐ−２の領域は、外周側に向かって消費、即ち、破壊されていく。尚、Ｌ１層における各１回のＯＰＣ処理においては、ＯＰＣパターンの試し書き及び試し書きされたＯＰＣパターンの再生は、第２トラックパスＴＰ２の方向に沿って行われる。【００７６】
尚、Ｌ０層のレコーディングマネージメントエリア１０１Ｍ−１における制御情報の記録及び再生は、ＯＰＣ処理と異なりアドレス情報等は破壊されず、第１トラックパスＴＰ１と同じ方向に行われる。【００７７】
より具体的には、レコーディングマネージメントエリア１０１Ｍ−１の領域の内周側から１回目の制御情報の記録及び再生が領域ＭＤ１−１を使用して行われ、順次、２回目の制御情報の記録及び再生が領域ＭＤ１−２、３回目の制御情報の記録及び再生が領域ＭＤ１−３を使用して行われる。このように、Ｌ０層においては、レコーディングマネージメントエリア１０１Ｍ−１の領域は、外周側に向かって使用されていく。【００７８】
他方、Ｌ１層のレコーディングマネージメントエリア１０１Ｍ−２における制御情報の記録及び再生は、ＯＰＣ処理と異なりアドレス情報等は破壊されず、第２トラックパスＴＰ２と同じ方向に行われる。【００７９】
より具体的には、レコーディングマネージメントエリア１０１Ｍ−２の領域の外周側から１回目の制御情報の記録及び再生が領域ＭＤ２−１を使用して行われ、順次、２回目の制御情報の記録及び再生が領域ＭＤ２−２、３回目の制御情報の記録及び再生が領域ＭＤ２−３を使用して行われる。このように、Ｌ１層においては、レコーディングマネージメントエリア１０１Ｍ−２の領域は、内周側に向かって使用されていく。【００８０】
以上説明したように、第１実施例の情報記録媒体によれば、Ｌ０層とＬ１層とで、トラックパスが逆向きであり、しかもパワーキャリブレーションエリア１０１Ｐ−１（１０１Ｐ−２）が同じ側（即ち、ディスクの内周側）に揃えられているので、比較的簡単にして記録情報の連続再生時における途切れない再生が可能となり、しかも、ＯＰＣ処理をまとめて迅速に実施できる。【００８１】
更に、パワーキャリブレーションエリア１０１Ｐ−１（１０１Ｐ−２）が同じ側（即ち、ディスクの内周側）に揃えられていても、Ｌ０層は、パワーキャリブレーションエリア１０１Ｐ−１の外周側からＯＰＣ処理が行われ、Ｌ１層は、パワーキャリブレーションエリア１０１Ｐ−２の内周側からＯＰＣ処理が行われるので、Ｌ０層とＬ１層とのＯＰＣ処理において相互に影響し合い試し書きが不正確になる事態の発生を抑制することが可能である。【００８２】
（情報記録媒体の第２実施例）
次に図４を参照して、本発明の情報記録媒体の第２実施例に係る光ディスクについてのデータ構造とＯＰＣ処理において使用される領域についてより詳細に説明する。ここに、図４は、本発明の情報記録媒体の第２実施例に係る光ディスクのデータ構造とＯＰＣ処理において使用される領域を概念的に示すデータ構造図である。【００８３】
情報記録媒体の第２実施例における基本構造及びＯＰＣ処理は、図１から図３を参照して説明した第１実施例と概ね同様である。【００８４】
情報記録媒体の第２実施例では特に、第１実施例の領域に加えて、本発明に係る「空き領域」の一例を構成するＬ０層におけるアンレコーダブルエリア１０１Ｕ−１が設けられている。【００８５】
具体的には、このアンレコーダブルエリア１０１Ｕ−１には、例えば、プリピットアドレス情報が、ランドトラックにエンボス加工されたランドプリピット等により記録されている。従って、第１トラックパスＴＰ１に沿ってパワーキャリブレーションエリア１０１Ｐ−１を介して例えば、レコーディングマネージメントエリア１０１Ｍ−１にアクセスする際に、仮に試し書きによってパワーキャリブレーションエリア１０１Ｐ−１内におけるアドレス情報が破壊されていても、レコーディングマネージメントエリア１０１Ｍ−１に至る以前にアンレコーダブルエリア１０１Ｕ−１においてアドレス情報を確認でき、即ち、光ピックアップ等における現在の読取位置を特定できる。従って、第１トラックパスＴＰ１に沿ったアクセス動作で、レコーディングマネージメントエリア１０１Ｍ−１の開始部に問題なくアクセス可能となる。【００８６】
（情報記録媒体の第３実施例）
次に図５を参照して、本発明の情報記録媒体の第３実施例に係る光ディスクについてのデータ構造とＯＰＣ処理において使用される領域についてより詳細に説明する。ここに、図５は、本発明の情報記録媒体の第３実施例に係る光ディスクのデータ構造とＯＰＣ処理において使用される領域を概念的に示すデータ構造図である。【００８７】
情報記録媒体の第３実施例における基本構造及びＯＰＣ処理は、図１から図３を参照して説明した第１実施例と概ね同様である。【００８８】
情報記録媒体の第３実施例では特に、図５に示されるように、パワーキャリブレーションエリア１０１Ｐ−１とパワーキャリブレーションエリア１０１Ｐ−２とは、半径方向に相互にずらされている。そして、第３実施例では、第１実施例の記録領域に加えて、Ｌ０層においてパワーキャリブレーションエリア１０１Ｐ−１の内周側にアンレコーダブルエリア１０１Ｕ−１が設けられているのに対して、Ｌ１層においてパワーキャリブレーションエリア１０１Ｐ−２の外周側にアンレコーダブルエリア１０１Ｕ−２が設けられている。【００８９】
第３実施例はこのように構成されているので、パワーキャリブレーションエリア１０１Ｐ−２に試し書きする際のレーザ光は、例えばＬ０層におけるアンレコーダブルエリア１０１Ｕ−１を通過することにより、パワーキャリブレーションエリア１０１Ｐ−１を通過しない。このため、パワーキャリブレーションエリア１０１Ｐ−１における記録状態、即ち、試し書き情報によって記録済みか又は未記録かによる影響を受けて、パワーキャリブレーションエリア１０１Ｐ−２における試し書きが不正確になる事態を未然防止できる。【００９０】
（情報記録媒体の第４実施例）
次に図６を参照して、本発明の情報記録媒体の第４実施例に係る光ディスクについてのデータ構造とＯＰＣ処理において使用される領域についてより詳細に説明する。ここに、図６は、本発明の情報記録媒体の第４実施例に係る光ディスクのデータ構造とＯＰＣ処理において使用される領域を概念的に示すデータ構造図である。【００９１】
情報記録媒体の第４実施例における基本構造及びＯＰＣ処理は、図１から図３を参照して説明した第１実施例と概ね同様である。【００９２】
情報記録媒体の第４実施例では特に、図６に示されるように、Ｌ０層におけるパワーキャリブレーションエリア１０１Ｐ−１とＬ１層におけるパワーキャリブレーションエリア１０１Ｐ−２とは相補の位置関係になるように配置されている。即ち、Ｌ０層におけるパワーキャリブレーションエリア１０１Ｐ−１に対応して、Ｌ１層における同じ半径方向の位置において、アンレコーダブルエリア１０１Ｕ−２が夫々設けられている。同様にしてＬ１層におけるパワーキャリブレーションエリア１０１Ｐ−２に対応して、Ｌ０層における同じ半径方向の位置において、アンレコーダブルエリア１０１Ｕ−１が夫々設けられている。【００９３】
第４実施例では、このように構成されているので、第２実施例及び第３実施例の効果を同時に且つ確実に享受することが可能となる。【００９４】
（情報記録再生装置）
次に図７を参照して、本発明の情報記録装置の構成及び動作について説明する。特に、本実施例は、本発明に係る情報記録装置を前述した光ディスク用の情報記録再生装置に適用した例である。【００９５】
先ず、図７を参照して、本発明の情報記録装置に係る実施例における情報記録再生装置３００の構成について説明する。ここに、図７は、本発明の情報記録装置に係る実施例における情報記録再生装置３００のブロック図である。尚、情報記録再生装置３００は、光ディスク１００に記録データを記録する機能と、光ディスク１００に記録された記録データを再生する機能とを備える。【００９６】
図７を参照して情報記録再生装置３００の内部構成を説明する。情報記録再生装置３００は、ＣＰＵ３５４の制御下で、光ディスク１００に情報を記録すると共に、光ディスク１００に記録された情報を読み取る装置である。【００９７】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作ボタン３１０、表示パネル３１１、及びバス３５７により構成されている。【００９８】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【００９９】
光ピックアップ３５２は光ディスク１００への記録再生を行うもので、半導体レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。特に、光ピックアップ３５２は、本発明の「書込手段」、「アドレス読取手段」及び「領域検出手段」等の一例を構成する。【０１００】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。【０１０１】
特に本実施例では、信号記録再生手段３５３は、ＯＰＣ処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。【０１０２】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。【０１０３】
ＣＰＵ（ドライブ制御手段）３５４は、信号記録再生手段３５３、メモリ３５５と、バス３５７を介して接続され、各制御手段に指示を行うことで、情報記録再生装置３００全体の制御を行う。通常、ＣＰＵ３５４が動作するためのソフトウェアは、メモリ３５５に格納されている。特に、ＣＰＵ３５４は、本発明に係る「試し書き制御手段」や「記録制御手段」等の一例を構成する。【０１０４】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【０１０５】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。【０１０６】
このように、情報記録再生装置３００の一例である、家庭用機器では映像を記録再生するレコーダ機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。【０１０７】
（情報記録装置による記録動作の流れ）
次に図８を参照して、本発明の情報記録装置に係る実施例において光ディスクの記録動作及びＯＰＣ処理の流れについて詳細に説明する。ここに、図８は本発明の情報記録装置に係る実施例において光ディスクの記録動作及びＯＰＣ処理を示したフローチャート図である。【０１０８】
図８において、先ず光ディスク１００が装填されると、ＣＰＵ３５４の制御下で、光ピックアップ３５２によりシーク動作が行われ、光ディスク１００への記録処理に必要な各種管理情報が取得される。この管理情報に基づいて、ＣＰＵ３５４の制御により、例えば外部入力機器等からの指示に応じて、データ入出力制御手段３０６を介して光ディスク１００のデータの記録動作を開始するか否か判定される（ステップＳ１０１）。ここで、光ディスク１００のデータの記録動作を開始する場合（ステップＳ１０１：Ｙｅｓ）、更に、記録対象となる記録層がＬ０層及びＬ１層であるか否かが判定される（ステップＳ１０２）。ここで、記録対象となる記録層がＬ０層及びＬ１層である場合（ステップＳ１０２：Ｙｅｓ）、Ｌ０層及びＬ１層に対してＯＰＣ処理が行われる（ステップＳ１０３）。特に、本実施例では、前述した説明のように、Ｌ０層とＬ１層とで、トラックパスが逆向きであり、しかもパワーキャリブレーションエリア１０１Ｐ−１（１０１Ｐ−２）が同じ側（即ち、ディスクの内周側）に揃えられているので、ＯＰＣ処理をまとめて迅速に実施できる。しかも記録後には、比較的簡単にして記録情報の連続再生時における途切れない再生が可能となる。【０１０９】
続いて、ステップＳ１０３において算出された最適記録レーザパワーにより、Ｌ０層及びＬ１層へのデータの記録が行われる（ステップＳ１０４）。【０１１０】
他方、ステップＳ１０２の判定の結果、記録対象となる記録層がＬ０層及びＬ１層でない場合（ステップＳ１０２：Ｎｏ）、更に、記録対象となる記録層がＬ０層のみであるか否かが判定される（ステップＳ１０５）。ここで、記録対象となる記録層がＬ０層のみである場合（ステップＳ１０５：Ｙｅｓ）、Ｌ０層に対してＯＰＣ処理が行われる（ステップＳ１０６）。【０１１１】
続いて、ステップＳ１０６において算出された最適記録レーザパワーにより、Ｌ０層へのデータの記録が行われる（ステップＳ１０７）。【０１１２】
他方、ステップＳ１０５の判定の結果、記録対象となる記録層がＬ０層のみでない場合（ステップＳ１０５：Ｎｏ）、Ｌ１層に対してＯＰＣ処理が行われる（ステップＳ１０８）。【０１１３】
続いて、ステップＳ１０８において算出された最適記録レーザパワーにより、Ｌ１層へのデータの記録が行われる（ステップＳ１０９）。【０１１４】
続いて、データの記録動作を終了するか否かが判定される（ステップＳ１１０）。ここで、データの記録動作を終了する場合（ステップＳ１１０：Ｙｅｓ）、情報記録装置による一連の記録動作は完了される。【０１１５】
他方、データの記録動作を終了しない場合（ステップＳ１１０：Ｎｏ）、前述した、記録対象となる記録層がＬ０層及びＬ１層であるか否かが判定される（ステップＳ１０２）。【０１１６】
他方、ステップＳ１０１の判定の結果、光ディスク１００のデータの記録動作を開始しない場合（ステップＳ１０１：Ｎｏ）、例えば、記録動作開始コマンド等の指示を待つ。【０１１７】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法もまた本発明の技術的範囲に含まれるものである。
【産業上の利用可能性】
【０１１８】
本発明に係る情報記録媒体、並びに情報記録装置及び方法は、例えば、民生用或いは業務用の、各種情報を高密度に記録可能な多層型光ディスクに利用可能であり、更に光ディスクに係るレコーダ又はプレーヤ等に利用可能である。また、例えば民生用或いは業務用の各種コンピュータ機器に搭載される又は各種コンピュータ機器に接続可能な、情報記録媒体、情報記録装置等にも利用可能である。
【図１】
2005034110.tif 000003
【図２】
2005034110.tif 000004
【図３】
2005034110.tif 000005
【図４】
2005034110.tif 000006
【図５】
2005034110.tif 000007
【図６】
2005034110.tif 000008
【図７】
2005034110.tif 000009
【図８】
2005034110.tif 000010
【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
ディスク状の情報記録媒体であって、
（Ｉ）記録用のレーザ光を照射することによって該レーザ光の較正用の第１試し書き情報を当該情報記録媒体の内周側から外周側に向かう第１トラックパスに沿って試し書きするための第１試し書き領域及び（ＩＩ）前記レーザ光を照射することによって第１記録情報を前記第１トラックパスに沿って記録するための第１記録領域を、前記内周側からこの順番に有する第１記録層と、
前記レーザ光を照射する側から見て前記第１記録層よりも奥側に位置しており、（Ｉ）前記レーザ光を照射することによって前記レーザ光の較正用の第２試し書き情報を前記外周側から前記内周側に向かう第２トラックパスに沿って試し書きするための第２試し書き領域及び（ＩＩ）前記レーザ光を照射することによって第２記録情報を前記第２トラックパスに沿って記録するための第２記録領域を、前記内周側からこの順番に有する第２記録層と
を少なくとも備え、
（III）前記第１試し書き領域と前記第２試し書き領域とは、前記情報記録媒体の法線方向から見て前記情報記録媒体の半径方向に相互にずらされているか、又は、（III-1）前記第１試し書き領域における少なくとも前記第１試し書き情報が書き込まれる領域部分と（III-2）前記第２試し書き領域における少なくとも前記第２試し書き情報が書き込まれる領域部分とは、前記半径方向に相互にずらされていることを特徴とする情報記録媒体。
【請求項２】
前記第１記録領域には、前記第１トラックパスに沿って、前記内周側から前記外周側に向かって順次付与されたアドレスを示す第１アドレス情報が予め記録されており、
前記第２記録領域には、前記第２トラックパスに沿って、前記外周側から前記内周側に向かって順次付与されたアドレスを示す第２アドレス情報が予め記録されていることを特徴とする請求項１に記載の情報記録媒体。
【請求項３】
前記第１記録層は、前記第１試し書き領域の前記外周側であり且つ前記第１記録領域の前記内周側に、前記第１記録情報の記録動作及び再生動作のうち少なくとも一方を制御するための第１制御情報が記録される第１制御情報領域を更に有しており、
前記第２記録層は、前記第２試し書き領域の前記外周側であり且つ前記第２記録領域の前記内周側に、前記第２記録情報の記録動作及び再生動作のうち少なくとも一方を制御するための第２制御情報が記録される第２制御情報領域を更に有することを特徴とする請求項１又は２に記載の情報記録媒体。
【請求項４】
前記第１記録層は、前記第１試し書き領域の前記外周側に隣接して前記第１トラックパスにおけるアドレスを示す第１アドレス情報が記録されており、その他の情報が記録されない空き領域を更に有することを特徴とする請求項１から３のうちいずれか一項に記載の情報記録媒体。
【請求項５】
ディスク状の情報記録媒体であって、記録用のレーザ光を照射することによって当該情報記録媒体の内周側から外周側に向かう第１トラックパスに沿って第１情報を記録するための第１記録層と、前記レーザ光を照射する側から見て前記第１記録層よりも奥側に位置しており、前記レーザ光を照射することによって前記外周側から前記内周側に向かう第２トラックパスに沿って第２情報を記録するための第２記録層とを備えた情報記録媒体に、前記第１及び第２情報を記録するための情報記録装置であって、
前記レーザ光を前記第１記録層に集光するように照射することで前記第１記録層に対して前記第１情報を書き込み、前記レーザ光を前記第２記録層に集光するように照射することで前記第２記録層に対して前記第２情報を書き込むための書込手段と、
前記第１記録層に対して、前記レーザ光の較正用の第１試し書き情報を試し書きし、前記第２記録層に対して、前記レーザ光の較正用の第２試し書き情報を試し書きするように前記書込手段を制御する試し書き制御手段と、
前記試し書き制御手段による前記第１及び第２試し書き情報の試し書き後に、（Ｉ）前記第１記録層に対して、前記第１試し書き情報に基づき較正された前記レーザ光によって、前記第１試し書き情報が試し書きされた領域より前記外周側に、前記第１記録情報を前記第１トラックパスに沿って記録し、（ＩＩ）前記第２記録層に対して、前記第２試し書き情報に基づき較正された前記レーザ光によって、前記第２試し書き情報が試し書きされた領域より前記外周側に、前記第２記録情報を前記第２トラックパスに沿って記録するように前記書込手段を制御する記録制御手段と
を少なくとも備え、
前記試し書き制御手段は、（III）前記第１試し書き領域と前記第２試し書き領域とが、前記情報記録媒体の法線方向から見て前記情報記録媒体の半径方向に相互にずらされた領域を使用するように前記書込手段を制御するか、又は、（IV-1）前記第１試し書き領域における少なくとも前記第１試し書き情報が書き込まれる領域部分と（IV-2）前記第２試し書き領域における少なくとも前記第２試し書き情報が書き込まれる領域部分とが、前記半径方向に相互にずらされた領域を使用するように前記書込手段を制御することを特徴とする情報記録装置。
【請求項６】
前記第１記録領域には、前記第１トラックパスに沿って、前記内周側から前記外周側に向かって順次付与されたアドレスを示す第１アドレス情報が予め記録されており、
前記第２記録領域には、前記第２トラックパスに沿って、前記外周側から前記内周側に向かって順次付与されたアドレスを示す第２アドレス情報が予め記録されており、
前記第１及び第２アドレス情報を読み取るアドレス読取手段を更に備えており、
前記記録制御手段は、（I）前記読み取られた第１アドレス情報に従って前記第１記録情報を前記第１トラックパスに沿って記録し、（II）前記読み取られた第２アドレス情報に従って前記第２記録情報を前記第２トラックパスに沿って記録するように前記書込手段を制御することを特徴とする請求項５に記載の情報記録媒装置。
【請求項７】
前記第１記録層は、前記第１試し書き領域の前記外周側に隣接して前記第１アドレス情報が記録されており且つその他の情報が記録されない空き領域を有し、
前記アドレス読取手段は、前記空き領域にアクセスすることで、前記第１アドレス情報を読み取ることを特徴とする請求項６に記載の情報記録装置。
【請求項８】
前記第１及び第２試し書き情報が既に試し書きされた領域を検出する領域検出手段を更に備えており、
前記試し書き制御手段は、前記領域検出手段により検出された領域に応じて各回の前記第１及び第２試し書き情報を書き込む際の開始位置を設定するように前記書込手段を制御することを特徴とする請求項５に記載の情報記録装置。
【請求項９】
前記記録制御手段は、（Ｉ）前記第１記録層における、前記第１試し書き情報が試し書きされる領域の前記外周側であり且つ前記第１記録情報が記録される領域の前記内周側に、前記第１記録情報の記録動作及び再生動作のうち少なくとも一方を制御するための第１制御情報を記録するように前記書込手段を制御し、（ＩＩ）前記第２記録層における、前記第２試し書き領域の前記外周側であり且つ前記第２記録領域の前記内周側に、前記第２記録情報の記録動作及び再生動作のうち少なくとも一方を制御するための第２制御情報を記録するように前記書込手段を制御することを特徴とする請求項５に記載の情報記録装置。
【請求項１０】
ディスク状の情報記録媒体であって、記録用のレーザ光を照射することによって当該情報記録媒体の内周側から外周側に向かう第１トラックパスに沿って第１情報を記録するための第１記録層と、前記レーザ光を照射する側から見て前記第１記録層よりも奥側に位置しており、前記レーザ光を照射することによって前記外周側から前記内周側に向かう第２トラックパスに沿って第２情報を記録するための第２記録層とを備えた情報記録媒体に、前記第１及び第２情報を記録すると共に、前記レーザ光を前記第１記録層に集光するように照射することで前記第１記録層に対して前記第１情報を書き込み、前記レーザ光を前記第２記録層に集光するように照射することで前記第２記録層に対して前記第２情報を書き込むための書込手段を備えた情報記録装置における情報記録方法であって、
前記第１記録層に対して、前記レーザ光の較正用の第１試し書き情報を試し書きし、前記第２記録層に対して、前記レーザ光の較正用の第２試し書き情報を試し書きするように前記書込手段を制御する試し書き制御工程と、
前記試し書き制御工程による前記第１及び第２試し書き情報の試し書き後に、（Ｉ）前記第１記録層に対して、前記第１試し書き情報に基づき較正された前記レーザ光によって、前記第１試し書き情報が試し書きされた領域より前記外周側に、前記第１記録情報を前記第１トラックパスに沿って記録し、（ＩＩ）前記第２記録層に対して、前記第２試し書き情報に基づき較正された前記レーザ光によって、前記第２試し書き情報が試し書きされた領域より前記外周側に、前記第２記録情報を前記第２トラックパスに沿って記録するように前記書込手段を制御する記録制御工程と
を少なくとも備え、
前記試し書き制御工程は、（III）前記第１試し書き領域と前記第２試し書き領域とが、前記情報記録媒体の法線方向から見て前記情報記録媒体の半径方向に相互にずらされた領域を使用するように前記書込手段を制御するか、又は、（III-1）前記第１試し書き領域における少なくとも前記第１試し書き情報が書き込まれる領域部分と（III-2）前記第２試し書き領域における少なくとも前記第２試し書き情報が書き込まれる領域部分とが、前記半径方向に相互にずらされた領域を使用するように前記書込手段を制御することを特徴とする情報記録方法。
【国際調査報告】
2005034110.tif 000011
2005034110.tif 000012
2005034110.tif 000013